(57)【特許請求の範囲】
【請求項１】
空気通路を内部に備えた本体と、
前記本体に着脱自在に取り付けられたカバーと、
車室内の空気を吸入して前記車室内に吹き出すために前記空気通路内に配置された送風機とを備え、
前記空気通路は、空気吸込口から前記送風機まで延びている上流空気通路と、前記送風機から空気吹出口まで延びている下流空気通路とで構成され、
前記下流空気通路には、上流から、除塵フィルタを保持する除塵フィルタ保持部と、脱臭フィルタを保持する脱臭フィルタ保持部とが設けられており、前記除塵フィルタ保持部と前記脱臭フィルタ保持部は、前記カバーを取り外すと車室内に表われるようになっており、
前記除塵フィルタと前記脱臭フィルタの大きさは互いに異なり、
前記除塵フィルタは、内部のフィルタ部と、前記フィルタ部を包囲する強固な枠部材で構成され、
前記除塵フィルタ保持部は、前記除塵フィルタの枠部材の上面と底面を保持する板状部材を有し、前記除塵フィルタのフィルタ部の周縁部は、前記除塵フィルタの直上流の前記下流空気通路の内面と面一であり、
前記脱臭フィルタ保持部は、前記脱臭フィルタの両側面を押圧保持するリブを有することを特徴とする車両用空気清浄器。
【請求項２】
空気通路を内部に備えた本体と、
前記本体に着脱自在に取り付けられたカバーと、
車室内の空気を吸入して前記車室内に吹き出すために前記空気通路内に配置された送風機とを備え、
前記空気通路は、空気吸込口から前記送風機まで延びている上流空気通路と、前記送風機から空気吹出口まで延びている下流空気通路とで構成され、
前記下流空気通路には、上流から、除塵フィルタを保持する除塵フィルタ保持部と、脱臭フィルタを保持する脱臭フィルタ保持部とが設けられており、前記除塵フィルタ保持部と前記脱臭フィルタ保持部は、前記カバーを取り外すと車室に表われるようになっており、
前記除塵フィルタ保持部と前記脱臭フィルタ保持部の大きさは互いに異なり、
前記除塵フィルタは、内部のフィルタ部と、前記フィルタ部を包囲する強固な枠部材で構成され、
前記除塵フィルタ保持部は、前記除塵フィルタの枠部材の上面と底面を保持する板状部材を有し、前記除塵フィルタのフィルタ部の周縁部は、前記除塵フィルタの直上流の前記下流空気通路の内面と面一であり、
前記脱臭フィルタ保持部は、前記脱臭フィルタの両側面を押圧保持するリブを有することを特徴とする車両用空気清浄器。
【発明の詳細な説明】
【０００１】
【発明の属する技術分野】
本発明は空気清浄器に関する。とりわけ、本発明は車両用空気清浄器に関する。
【０００２】
【従来の技術】
従来、天吊式車両用空気清浄器として、吸込口及び吹出口をそれぞれ一つずつ有する空気清浄器が公知である。この空気清浄器は、正面の吸込口の直下流に除塵フィルタが配置され、側面の吹出口の直上流に脱臭フィルタが配置された構成となっている。しかしながら、この空気清浄器は、送風機と除塵フィルタを高さ方向に直列に配置する必要と、空気流れの圧損量を低減するために側面の脱臭フィルタの大きな面積を確保する必要から、空気清浄器の側面を大きくせざるをえず、空気清浄器の高さ寸法が大きくなってしまう。
【０００３】
このように天吊式車両用空気清浄器の高さ寸法が大きいと車室の空間が狭くなって乗員にとっては不快であるので空気清浄器を薄くすることが望まれていた。そこで、圧損量を低減する共に薄い空気清浄器を構成するために、例えば特開２００１−１０５８４８号公報では、一つの吸込口を正面に有する中央のスクロール部と、スクロール部の両側に配置された一つの吹出口を有する吹出し部とを備えた構成となっている。このようにフィルタ部とモータを高さ方向に並列に配置した構成により、空気清浄器の高さ寸法を低減すると共に、より大きなフィルタ面積を確保することにより、圧損量を低減している。
【０００４】
【発明が解決しようとする課題】
ファンの下流の空気通路はほぼ矩形断面であり、それゆえ、この空気通路に配置する除塵フィルタ及び脱臭フィルタの形状は、直方体とされている。その結果、除塵フィルタと脱臭フィルタはほぼ同じ形状となる。フィルタを交換する時に、除塵フィルタを保持する保持部に脱臭フィルタを保持するなど、これらフィルタを誤って逆の保持位置に取り付けてしまうということが懸念される。
【０００５】
このように誤って除塵フィルタと脱臭フィルタを逆に配置すると、通常、除塵フィルタで取り除かれるはずの液状粒子（例えばタールやニコチン）が脱臭フィルタに直接付着してしまい、早期に空気清浄器の性能が悪化してしまうという問題がある。
【０００６】
本発明は、上記問題に鑑みてなされたものであり、その目的は、容易に除塵フィルタと脱臭フィルタを正しく配置することのできる車両空気清浄器を提供することである。
【０００７】
【課題を解決するための手段】
本発明は、前記課題を解決するための手段として、特許請求の範囲の各請求項に記載の車両用空気清浄器を提供する。
請求項１に記載の車両用空気清浄器は、空気通路を内部に備えた本体と、前記本体に着脱自在に取り付けられたカバーと、車室内の空気を吸入して前記車室内に吹き出すために前記空気通路内に配置された送風機とを備え、前記空気通路は、空気吸込口から前記送風機まで延びている上流空気通路と、前記送風機から空気吹出口まで延びている下流空気通路とで構成され、前記下流空気通路には、上流から、除塵フィルタを保持する除塵フィルタ保持部と、脱臭フィルタを保持する脱臭フィルタ保持部とが設けられており、前記除塵フィルタ保持部と前記脱臭フィルタ保持部は、前記カバーを取り外すと車室内に表われるようになっており、前記除塵フィルタと前記脱臭フィルタの大きさは互いに異なり、前記除塵フィルタは、内部のフィルタ部と、前記フィルタ部を包囲する強固な枠部材で構成され、前記除塵フィルタ保持部は、前記除塵フィルタの枠部材の上面と底面を保持する板状部材を有し、前記除塵フィルタのフィルタ部の周縁部は、前記除塵フィルタの直上流の前記下流空気通路の内面と面一であり、前記脱臭フィルタ保持部は、前記脱臭フィルタの両側面を押圧保持するリブを有するようにしたものであり、これにより、各フィルタは別のフィルタ保持部に保持されえないことが保証される。
【０００８】
請求項２に記載の車両用空気清浄器は、空気通路を内部に備えた本体と、前記本体に着脱自在に取り付けられたカバーと、車室内の空気を吸入して前記車室内に吹き出すために前記空気通路内に配置された送風機とを備え、前記空気通路は、空気吸込口から前記送風機まで延びている上流空気通路と、前記送風機から空気吹出口まで延びている下流空気通路とで構成され、前記下流空気通路には、上流から、除塵フィルタを保持する除塵フィルタ保持部と、脱臭フィルタを保持する脱臭フィルタ保持部とが設けられており、前記除塵フィルタ保持部と前記脱臭フィルタ保持部は、前記カバーを取り外すと車室に表われるようになっており、前記除塵フィルタ保持部と前記脱臭フィルタ保持部の大きさは互いに異なり、前記除塵フィルタは、内部のフィルタ部と、前記フィルタ部を包囲する強固な枠部材で構成され、前記除塵フィルタ保持部は、前記除塵フィルタの枠部材の上面と底面を保持する板状部材を有し、前記除塵フィルタのフィルタ部の周縁部は、前記除塵フィルタの直上流の前記下流空気通路の内面と面一であり、前記脱臭フィルタ保持部は、前記脱臭フィルタの両側面を押圧保持するリブを有するようなものであり、これにより、各フィルタは別のフィルタ保持部に保持されえないことが保証される。
【００１２】
【発明の実施の形態】
以下、本発明の実施例について添付図面を参照して説明する。最初に本発明の車両用空気清浄器の概略構成について説明する。図１は車両の天井に取り付けた状態の本発明の車両用空気清浄器の断面図である。１は本発明の車両用空気清浄器を全体的に示している。空気清浄器１は、上側の本体２と下側のカバー（グリル）３で主に構成され、本体２とカバー３を組み付けた状態で内部において以下に説明する構成要素を保持する。なお、本体２及びカバー３は共にＡＢＳ等の樹脂でつくられている。
【００１３】
車両用空気清浄器１の組み付けは、最初に、内側の内装板（天井）８に設けられた開口８１を通して、内装板（天井）８と外側の屋根板９との間の空間部９１において車両横断方向に延びているリインフォースメント（図示せず）にブラケット（図示せず）を介して本体２を空間部９１内に固定し、次に、カバー３の周縁部が内装板８に当接するように、カバー３をこの本体２に締結することによって完了する。
【００１４】
次に本発明の車両用空気清浄器の内部構成について説明する。図１に示すように、車両用空気清浄器１は、中央において吸込口１１から空気を吸い込む中央のスクロール部２１と、スクロール部２１の両側において一つの吹出口１２から空気を吹き出す二つの吹出し部２２とで構成されている。また、空気通路１３は、スクロール部２１の外面に設けられた吸込口１１から送風機５まで延びている上流空気通路１３ａと、送風機５から各吹出し部２２の外面に設けられた吹出口１２まで延びている二つの下流空気通路１３ｂとで構成されている。
【００１５】
スクロール部２１の中央には、空気を吸込口１１から吸い込んで下流空気通路１３ｂに送風する送風機５が配置されている。この送風機５は、ファン５２と、ファン５２を駆動するブラシレスモータ５１とを備えている。このファン５２は、回転軸方向、すなわち、上流空気通路１３ａから空気を吸入して径外方向に向けて吹き出す遠心式のファンである。
【００１６】
また、下流空気通路１３ｂには、上流から、ひだ折りした不織布により空気中の塵を捕捉する除塵フィルタ６と、ハニカム担体に添着された活性炭により空気中の臭いを除去する脱臭フィルタ７が配置されている。これらフィルタ６及び７は、着脱自在にカバー３に取り付けられているフィルタカバー４を取り外して下流空気通路１３ｂを開放することによって交換することができる。
【００１７】
以上の構成により、吸込口１１から上流空気通路１３ａを通して空気が吸い込まれ、送風機５付近で二つの下流空気通路１３ｂのいずれかに分配され、下流空気通路１３ｂ中の除塵フィルタ６と脱臭フィルタ７を通して吹出口１２から空気が吹き出される。
【００１８】
次にフィルタの交換について詳細に説明する。従来、除塵フィルタ及び脱臭フィルタは、空気通路に設けられた係止部によって取り付けられるのが一般的であるが、除塵フィルタと脱臭フィルタはほぼ同じ形状であるため、除塵フィルタ６と脱臭フィルタ７を誤って逆に組み付ける可能性があり、この場合、液状粒子（例えばタールやニコチン）が脱臭フィルタで捕捉され、脱臭フィルタの活性炭に付着してしまい、早期に空気清浄器の性能が悪化してしまうなどの懸念がある。そこで、本発明では、以下に説明するように、除塵フィルタ６と脱臭フィルタ７を空気通路の所定位置に正確に組付けるのを助ける手段を提供する。
【００１９】
次に、除塵フィルタ及び脱臭フィルタの保持部について説明する。図２はフィルタカバーを外した状態の本発明の車両用空気清浄器の正面図であり、図３はフィルタ保持部を示す拡大図である。図２に示すように、空気清浄器１の下流空気通路１３ｂの一部を形成しているフィルタカバー４を取り外すと、下流空気通路１３ｂに配置されている、除塵フィルタ６を保持する除塵フィルタ保持部６０と、脱臭フィルタ７を保持する脱臭フィルタ７０とが開放される。
【００２０】
最初に、除塵フィルタ保持部６０について説明する。図３において点線で示されている除塵フィルタ６は、ホットメルトと呼ばれる比較的に硬いものでかためられた矩形断面の枠部材と、この枠部材の内側に配置されたフィルタ部とで構成されており、除塵フィルタ６の断面は下流空気通路１３ｂの断面とほぼ同じ矩形である。上記構成の除塵フィルタ６を保持する除塵フィルタ保持部６０は、図３に示すように、下流空気通路１３ｂの側壁部の一部である側壁部６１と、下流空気通路１３ｂの底壁部の一部である板状の突起部６２と、下流空気通路１３ｂの上壁部の一部である上壁部６３とで構成されている。この突起部６２と上壁部６３の距離は、ほぼ除塵フィルタ６の高さに等しく、除塵フィルタ６は突起部６２と下流空気通路１３ｂの上壁部６３の間で挟持されることが可能である。また、図４に示すように、下流空気通路１３ｂにおいて、除塵フィルタ保持部６０、すなわち上壁部６３及び突起部６２の領域の直上流には、下流空気通路１３ｂの下流側から除塵フィルタ６を保持部６０に保持する時に係止部として機能する段階部が付けられている。好ましくは、この段階部の高さ寸法は、段階部の直上流の下流空気通路１３ｂの縁部と、段階部の直下流の除塵フィルタ６のフィルタ部の周縁部とが面一になるように定められるのが好ましい。このような構成により、フィルタ交換のために除塵フィルタ６を下流空気通路１３ｂの下流側から保持部６０に保持する時に、フィルタ６の上流側の側面は係止部に留められて正確な位置に位置決めされ、その一方で、フィルタ６の上下が突起部６２と上壁部６３によって挟持されるため、手で押えなくても保持される。
【００２１】
次に、脱臭フィルタ保持部７０について説明する。図３において点線で示されている脱臭フィルタ７は比較的に柔らかい部材であり、形状は直方体である。図３に示すように、この脱臭フィルタ７を保持する脱臭フィルタ保持部７０は、除塵フィルタ保持部６０の下流に配置されている。また、脱臭フィルタ保持部７は、下流空気通路１３ｂの側部の一方が外側に突出した拡幅部を有している。この拡幅部の内側は、凹状の受容部が形成されており、この凹状受容部の側壁と、この受容部側壁に対向する下流空気通路１３ｂの側壁との間で脱臭フィルタ７を受容することができるように寸法が定められている。また、比較的に柔らかい拡幅部の内側には、三角形断面のリブが垂直方向に少なくとも部分的に延びている。このような構成により、脱臭フィルタ７を保持部７０に保持する時に、フィルタ７の一端を保持部７０の凹状受容部によりガイドして下方から垂直上方に摺動させることにより正確な位置に位置決めされ、その一方で、フィルタ７の両側面が外側の三角リブにより押圧されることにより、手で押えなくても保持される。
【００２２】
前述では除塵フィルタ６と脱臭フィルタ７がそれぞれの保持部６０、７０に保持される方法について説明したが、除塵フィルタ６はその側部が比較的に硬い部材でできているため、除塵フィルタ６を脱臭フィルタ保持部７０に保持することができず、また、脱臭フィルタ７は横方向長さが下流空気通路１３ｂよりも長いために、下流空気通路１３ｂと同じ幅の除塵フィルタ保持部６０に保持することができないということが明らかである。したがって、誤って除塵フィルタと脱臭フィルタを逆に配置しないことが保証される。
【００２３】
次に、別の実施例のフィルタの保持部について説明する。図５はフィルタカバーを外した状態の本発明の第二実施例の空気清浄器の正面図である。なお、除塵フィルタ６及び脱臭フィルタ７は前述の第一実施例とほぼ同じ形状である。図５に示すように、下流空気通路には、上流から、除塵フィルタ６を保持する除塵フィルタ保持部６０と、脱臭フィルタ７を保持する脱臭フィルタ保持部７０とが配置されている。下流空気通路１３ｂの横幅は、上流から下流に向けて漸進的に広がっている。例えば、下流空気通路１３ｂの流れ方向の平面に沿った断面形状は、ほぼ台形である。このような構成により、除塵フィルタ６を除塵フィルタ保持部に保持する場合、除塵フィルタ６を下流空気通路１３ｂの下流側から保持部６０に向けて移動させると、上流に向けて狭くなっている下流空気通路１３ｂの側壁部にフィルタ６の両側面が押圧保持され、手で押えなくても保持される。また、脱臭フィルタ７を脱臭フィルタ保持部に保持する場合も、除塵フィルタ６と同様に、フィルタ７を下流空気通路１３ｂの下流側から保持部７０に向けて移動させることによって、下流空気通路１３ｂの側壁部にフィルタ７の両側面が押圧保持され、手で押えなくても保持される。
【００２４】
このように、除塵フィルタ６と脱臭フィルタ７の長さが異なるため、除塵フィルタ６は除塵フィルタ保持部６０のみにしか保持することができず、脱臭フィルタ７は脱臭フィルタ保持部７０にしか保持することができないため、誤って除塵フィルタと脱臭フィルタを逆に配置しえないことが保証される。
【００２５】
以上の説明では、除塵フィルタ６と脱臭フィルタ７は、流れ方向の平面に沿って矩形断面を有するが、より一層強固にフィルタ保持部６０、７０において保持されるように、下流空気流れ通路が流れ方向の平面に沿って台形断面を有してもよい。
【図面の簡単な説明】
【図１】車両の天井に取り付けた状態の本発明の車両用空気清浄器の断面図である。
【図２】フィルタカバーを外した状態の本発明の車両用空気清浄器の正面図である。
【図３】フィルタ保持部を示す拡大図である。
【図４】本発明の空気清浄器の拡大断面図である。
【図５】フィルタカバーを外した状態の本発明の第二実施例の空気清浄器の正面図である。
【符号の説明】
１…空気清浄器
２…本体
３…カバー
４…フィルタカバー
６…除塵フィルタ
７…脱臭フィルタ
１１…吸込口
１２…吹出口
１３…空気通路
１３ａ…上流空気通路
１３ｂ…下流空気通路
【図１】
0003818131.tif 000002
【図２】
0003818131.tif 000003
【図３】
0003818131.tif 000004
【図４】
0003818131.tif 000005
【図５】
0003818131.tif 000006